Podtech/llm-jp-corpus-v4-ja_patent huggingface dataset:
(57)【要約】【課題】糖尿病の改善に役立ち、身体の免疫機能の増進や、神経痛、関節痛、筋肉痛の緩和に役立ち、赤血球の造血作用をする成分を有効に抽出できるホヤエキスの抽出方法及び疾病の改善に寄与できる健康食品を提供する。【解決手段】ホヤの筋膜体と内臓の原材料から塩分を除去する方法、温熱水によりホヤエキスを抽出する方法及び原材料をアルコールと反応させてホヤエキスを抽出する方法及び抽出された有効成分を高含有するホヤエキス。又そのホヤエキスを含有してなる健康食品。【特許請求の範囲】
【請求項１】
ホヤの筋膜体及び内臓を原材料にして抽出した液状ホヤエキスからなる健康食品。
【請求項２】
ホヤの筋膜体及び内臓を原材料にして抽出したホヤエキス粉末を添加してなる健康食品。
【請求項３】
ホヤの筋膜体及び内臓から塩分を除去する方法。
【請求項４】
ホヤの筋膜体及び内臓を原材料にして摂氏５０〜７０度の温度域の温熱水でエキスを抽出するホヤエキスの抽出方法。
【請求項５】
ホヤの筋膜体及び内臓を原材料にして摂氏５０〜７０度の温度域でアルコールと反応させて成分を抽出するホヤエキスの抽出方法。
【発明の詳細な説明】
【０００１】
【発明の属する技術分野】
本発明は、ホヤの有効成分を効率よく抽出することができるホヤエキスの抽出方法及びホヤエキスを含有する健康食品に関する発明である。
【０００２】
【発明が解決しようとする課題】
生物には、殆ど含まれていないバナジウムがホヤに含まれていて、今のところ高濃度のバナジウムを含有する動物は、ホヤに限られている。バナジウムは学術的には原子番号２３番の元素で金属イオンである。ホヤが糖尿病の改善に有効であると言うことは、近年公知のことであり、バナジウムが人体に作用をしてインスリンの様な働きをするのではと言われている、又ホヤにはその他に身体の免疫機能を増進したり、神経痛、関節痛、筋肉痛の緩和に有効な成分が含まれている。
【０００３】
従来ホヤはその外皮を除いた軟体部を生で食べるとか、軟体部を乾燥し粉末に加工することは試みられていたが、生ホヤは特異な味と香りがあり、食する人により好き嫌いが激しい食品である。生ホヤを糖尿病その他の治療の為に毎日継続して長期間大量に生で食することは困難である。又前記の乾燥粉末の場合も治療に必要な摂取量が多い為に不便である。ホヤに含まれている有効成分が抽出、濃縮されたホヤエキスを含有する錠剤やドリンク剤やエキス充填カプセルが製造されると、携帯にも便利で手軽にホヤの有効成分が摂取できる。
【０００４】
本発明は、ホヤエキスの抽出方法と抽出されたエキスに、糖尿病の改善及び身体の細胞免疫機能の増進や、神経痛、関節痛、筋肉痛の緩和に寄与出来る有効成分を含むホヤエキスを含有する健康食品を提供することを課題とする。
【０００５】
【課題を解決する為の手段】
ホヤの筋膜体及び内臓の原材料から塩分を除去する工程と、ホヤの原材料を用いて摂氏５０〜７０度の温熱水中でホヤエキスを抽出する。又前記原材料に摂氏５０〜７０度の温度域でアルコールと反応させてホヤエキスを抽出する。このような工程を含んで抽出されたホヤエキスには、主成分としてバナジウム、タウリン、ビタミンＢ１２などが含まれている。抽出されたホヤエキスは他の成分と共にボトルに充填してドリンク剤にしたり、カプセルに充填したり等好適な健康食品となる。
【０００６】
ホヤから抽出されるエキスに含まれるバナジウムは、糖尿病の改善に有効であり、タウリンは免疫力の増進に役立ち、ビタミンＢ１２は神経痛、関節痛、筋肉痛の改善に役立つ、葉酸は赤血球の造血作用を促進する。
【０００７】
【発明の実施の形態】
以下、実施例に基ずいて、この発明を更に詳細に説明するが、本発明は実施例に何ら限定されるものではない。
【０００８】
「実施例１」  温熱水によるホヤエキスの抽出
新鮮な生ホヤの体内には大量の海水を含んでいる、ホヤの外皮である被嚢を取り除き、袋状をしている筋膜体を切開して、筋膜体と内臓を流水によって充分洗浄をし塩分を除去する。上記処理後の筋膜体と内臓の原材料５００ｇに、蒸留水４リットルを加えて摂氏５０〜７０度の温度域で２４時間、成分を抽出し３０００ｒｐｍで１５分間遠心分離をし液体分を抽出する。次に減圧加熱濃縮し真空乾燥をして８ｇの乾燥ホヤエキス粉末を得る。
【０００９】
「実施例２」  アルコールによるホヤエキスの抽出
実施例１の塩分処理後のホヤ原材料５００ｇに濃度３０％のエチルアルコール５リットルを加えて反応釜に入れ、摂氏５０〜７０度の温度域で２４時間反応させた後、濾紙により濾過し、液体分を抽出した後、減圧加熱濃縮し真空乾燥をして、ホヤエキス乾燥粉末９ｇを得る。
【００１０】ホヤエキス含有健康食品の製造
実施例１及び２で得られたホヤエキスを他の成分と共にボトルに充填したり、カプセルに充填したり、錠剤に加工して健康食品とする。
【００１１】実施例２において抽出した粉末ホヤエキスの有効成分
バナジウムは微量。タウリン２．９５ｍｇ／１００ｍｇ、ビタミンＢ１２は０．１８ｍｇ／１００ｍｇ、葉酸は０．８５ｍｇ／１００ｍｇ、ミネラルは鉄分が０．１５ｍｇ／１００ｍｇ、亜鉛が０．１４ｍｇ／１００ｍｇ、カルシュウムが０．８５ｍｇ／１００ｍｇである。
【００１２】
「臨床結果」糖尿病患者５名が粉末ホヤエキス健康食品を５ヶ月間服用したとろこ全員が血糖値及びヘモグロビンＡＩＣ値が改善された。その内の一例として、糖尿病患者の通院先の千葉市内の川鉄病院で行った血糖値及びヘモグロビンＡＩＣの検査結果を「表１」に示した。
【００１３】
【表  １】
2004298161.tif 000002
【００１４】
【発明の効果】
以上説明した様に、かくして得られたホヤエキスは、健康食品として糖尿病の改善に役立ち、身体の免疫機能の促進や、神経痛、関節痛、筋肉痛の緩和に役立ち、又赤血球の造血作用をする成分が豊富に含まれる。
(57)【要約】【課題】植物生育に欠かせない光エネルギーを葉全体に供給できるようにし，光を効率的に活用し，生育期間を早くし短期間に栽培可能な簡便な装置を提供する．【解決手段】装置本体２０に照明装置１が設けられて，四方の壁面には鏡面材２，３，４，５，さらに天井にも同様の鏡面材６，７が内側に取り付けられ，中の栽培植物に光照射が直接光のみならず，鏡面反射した光も供給され，生育のための空気還流，内部観察又は，養液供給用の窓が設けられている密閉されない簡便な植物栽培装置．【選択図】    図１
2004298171.tif 000002
【特許請求の範囲】
【請求項１】
天井部の照明装置と，装置四方の内壁，及び内側天井に取付られた鏡と，植物生育のための空気還流，内部観察，及び養液供給用の窓と，床面は開放構造になった密閉されない栽培装置．
【請求項２】
前記床面が植物栽培用プランタの台から構成されている請求項１に記載の栽培装置．
【請求項３】
前記鏡が装置内部に両面鏡面材で仕切板として光反射材が，縦横斜めに設置されている請求項１又は２に記載の栽培装置．
【請求項４】
装置本体が球状，又は柱状を呈し，内面が鏡面仕様で光が反射する構造を有する請求項１又は２に記載の栽培装置．
【請求項５】
天井部に照明装置がなく，装置外からの光を受光するために上部は開放し，装置内部に請求項１乃至請求項４の密閉されない栽培装置．
【発明の詳細な説明】
【００１】
【技術分野】本発明は，植物栽培に係り，特に，発芽から光を天井のみならず側面からも供給できる簡便な植物栽培用光供給装置に関するものである．
【背景技術】
【００２】一般に，植物は太陽光や人工光によって天方向からの光エネルギーを供給され栽培される．例えばビニールハウス内照明は天井部分に取り付けられるのが一般的である．
【００３】しかしながら光を受けて光合成をする葉は，必ずしも全ての自己の葉が光を享受できるとは限らない．自己の葉により，又は隣り合う植物の葉等により，日陰に入ってしまう葉は受ける光エネルギーが制限されてしまうという問題が内在している．
【００４】
【解決課題】ここにおいて，本発明は，上述せるごとき事情を背景にしてなされたものであって，その解決課題とするところは，光を効率的に活用し，まんべんなく直接光又は，反射による光を，植物に照射できる簡便な植物栽培用装置を提供することにある．
【００５】
【解決手段】そして，本発明にあたっては，かかる課題の解決のために，栽培装置内面に対して，光を反射させるための鏡を配置し，植物の葉一枚一枚にまで光を照射できるようにし，高価な密閉構造ではなく，簡便な開放構造にし必要な空気や養液は外部から容易に供給できるようにしたことを特徴とする植物栽培装置である．
【００６】
【発明の実施の形態】以下，本発明をさらに具体的に明らかにするために，本発明に係る植物栽培装置の構成について，図面を参照しつつ，詳細に説明することとする．
【００７】
まず，図１には，本発明に従う構造を有する栽培装置の一例が概略的に示されている．装置本体２０は天井部に照明装置１を有し，側面には鏡面材２，３，４，５が取り付けられている．さらに天上部にも同鏡面材６，７が設置されている．即ち，かかる装置本体２０は，照明光が栽培される植物に，直接光のみならず，四方からの光反射も得られるような構造を持ち，植物８及びプランタ２４に被さるように設置されているのである．
【００８】
例えば，鏡面がない従来の栽培法では，植物８の葉１１は，照明源１０１（又は１０２）からの直接光が葉９，及び葉１０によってさえぎられ影になってしまう．本発明によると鏡面２（又は鏡面３）により図１に示したように光反射によって葉１１にも照明光が入り，一枚一枚の葉の光合成が活性化されるなど植物の生育に好条件を作り出すことが可能になるのである．具体的に鏡による照度の優位性は図３に示すように，このケースでは３９％の照度向上が得られている．
【００９】
栽培する植物が多い場合は，日陰になる葉も多くなるため，図２に示すように両面が鏡面仕様の仕切板３０を挿入することにより，上述した効果を同様に得ることが可能になるのである．この鏡面仕切板は装置の大きさに応じて，縦横又は斜めに組み合わせて使用すれば同様の効果をなし得るのである．
【０１０】
装置本体２０には，生育のための空気還流として図１の窓２１と，下側の養液供給用の窓２２が設けられている．上部の窓２１は内部観察用にも利用できる。図２には床面にプランタ２４を載せる台２３が設けられている．地上に直接，植物がプランタや植木鉢等で生育されている場合，又は地上で生育されている植物の場合は，図１のように台２３は必要なく床面開放とし，装置を所定の植物に上からかぶせて使用することが可能になる．必要に応じ，本装置を外して例えば昼間は太陽光下で，夜は本装置下で生育させるという組合せも可能になる．
【０１１】
また，栽培装置本体の形状は四角形を例に述べてきたが，特に，これに限定されるものではなく，球状や柱状なども採用可能である．
【０１２】
その他，一々列挙はしないが，本発明は，当業者の知識に基づいて種々なる変更，修正，改良を加えた態様において実施され得るものであり，また，そのような実施態様が，本発明の趣旨を逸脱しない限りにおいて，何れも，本発明の範囲内に含まれるものであることが，理解されるべきである．
【０１３】
【発明の効果】
以上の説明より明らかなように，本発明に従う簡便な栽培装置にあっては，空気や養液等を供給する窓を有し，四方に張り巡らされた鏡面によって，光エネルギーが中の植物全体に供給でき，光合成等の植物栽培上の成育をきわめて有利に，かつ短期間に成長せしめる効果を得ることが可能になるのである。
【図面の簡単な説明】
【図１】本発明に従う照明付栽培装置の一例を示す正面図である．
【図２】図１よりも大きな装置例で，中央に両面が鏡面の仕切板を有する栽培装置正面図である．
【図３】鏡有無の照度比較表
【符号の説明】
１    照明装置                      ２，３，４，５，６，７    鏡面材
８    植物                          ９，１０，１１，１２      葉
２０  装置本体                      ２１，２２                窓
２３  台                            ２４                      プランタ
３０  両側鏡面仕切板                １０１，１０２            光源
【図１】
2004298171.tif 000003
【図２】
2004298171.tif 000004
【図３】
2004298171.tif 000005
(57)【要約】【課題】ブレザー用の同じボタンで、黒色にした時は喪服として着用し、明るい色（例えば金色）に変えた時には街着として使用できるように変化できるボタン。【解決手段】上蓋と受皿と分割型のボタンであって、回動するように構成し、上蓋の下地を黒色とし、この上蓋に可視用の窓を間隔を置いて設け、下側の受皿の下地を金色とし、上蓋の窓に合わせて黒色の区分を作り、上下を回動することによって黒を合わせれば喪服として、金色を合せれば金模様の入ったボタンとなって街着として着用できる。【選択図】    図１
2004298580.tif 000002
【特許請求の範囲】
【請求項１】
表面に透明の保護体を設けた上蓋Ａと糸通しＣを設けた受皿Ｂとに分解して構成し、互いに回動するように嵌合させて形成し、上蓋Ａの円周に合せて可視部を設け、受皿Ｂに前記可視部に合せて異なる色柄を配し、上蓋Ａ、受皿Ｂを回動させることによって上蓋の可視部を通して受皿の色柄を表現できるように形成したことを特徴としたデザインを変えることができるボタン。
【請求項２】
ボタンを形成する上蓋Ａ、受皿Ｂの接合部に静電気防止作用を有するトルマリン石の粉粒を介在させたことを特徴とした請求項１に記載のデザインを変えることができるボタン。
【発明の詳細な説明】
【０００１】
【発明が属する技術分野】
本発明はデザインを変えることができるボタンに関する。
【０００２】
【従来の技術】
従来一般に洋服のボタンの色・柄などを変えるには付替え、布カバー、スナップ、挟み込み、ねじ込み、磁性式などがあった。また特に実開昭６０−１７１１１号或は特開平１０−１１３２０号に見られるように、上蓋と下皿に分解して、上蓋を取り変えることによって色や柄を変えてデザインに変化を持たせるボタンは公知である。
【０００３】
【発明が解決しようとする課題】
しかしながら、この公知例に示されているボタンは、いずれも色・柄のついた上蓋を取り外ししなければならず、上着やコートのような場合では、揃いの上蓋用ボタンを持ち歩くことになり一箇紛失した場合でも使用することができず、また歩行中や行動中に紛失や脱落する等の問題が生じる。
【０００４】
【課題を解決するための手段】
発明者は、洋服がボタンを変えることによってデザインや雰囲気が変わるもので、例えば黒色のブレザーを黒のボタンで揃えれば葬儀用の喪服となり、ボタンを金色に変ればブレザーとして華やかな雰囲気となることに鑑みて本発明に到達したもので、本発明は、前記公知例のように上蓋を取り替えるのではなく、上蓋Ａと下側の受皿Ｂを回動させることとによって、受皿に表わされている色柄を表出させて洋服の雰囲気を変えるものである。
【０００５】
さらに本発明のボタンは上蓋Ａ及び受皿Ｂとの間の空間部にマイナスイオン発生と静電気防止効果のあるトルマリン石の粉粒を介入することによって、不愉快な静電気の発生を防止できると共に、最近問題となっているセルフサービスのガソリンスタンドでの事故を防ぐことも可能になった。
【０００６】
【発明の実施の形態】
添付図面により本発明の実施の形態を説明すると、図１は、表面に透明の保護体（１０）を設けた上蓋Ａと下側の受皿Ｂとに分解された本発明のデザインを変えることができるボタンの断面図であって、上蓋Ａと受皿Ｂとが嵌合されてボタンを形成する。この組合せは単に縁部の（７），（８）で嵌合されているため自由に回動するが、この回動には上蓋Ａの突起（５）と受皿Ｂの凹部（６）が噛み合って間欠的に回動する。なお、上蓋表面の保護体は透明のアクリル樹脂で形成する。
【０００７】
図２は上蓋Ａの平面図を示している。この上蓋Ａは窓状の可視部（１），（２）が間隔を置いて２列に円周に沿って設けてあり、また図３は受皿Ｂの平面図である。この受皿には地色と違った色の区分（３），（４）が図示のように互い違いに設けてあって、上蓋Ａと受皿Ｂを重ね合せてボタンを形成した際には上蓋Ａの透孔（１），（２）から受皿Ｂの下地色又は色区分（３），（４）が表出される如く形成されている。
【０００８】
従って、例えば上蓋Ａを黒塗りとして受皿Ｂの下地色を黒色とし、区分（３），（４）を金色とした場合にブレザーのボタンとして使用するとき、可視部（１），（２）からの色を黒色とした場合にはボタン全体が黒となって喪服となって着用でき、ボタンの上蓋Ａ、下皿Ｂを回して区分色（３），（４）を可視部（１），（２）と一致させれば区分色（金色）が現われて、華やかになりブレザーとして使用ができる。
【０００９】
この区分色（３），（４）は金色に限ることなく他の色を使用することにより雰囲気が変り、葬儀に出席するため、本発明のボタンを使用した礼服を着用し、斎場にいる時はボタンを黒に統一し、途中のみちではボタンの色を変えることによって、列車の中などで目立つことがなく使用できる。またこの回動は上蓋の突起（５）と受皿の凹部（６）の係合によるため服の着用中に移動することはない。また、この上蓋と受皿との係合は、図示のような突起と凹部に限ることなく、ギザギザの歯車状のものでも同様の作用を得る。
【００１０】
さらに図示していないが、本発明のボタンは、上蓋Ａと受皿Ｂとの間の空間部にトルマリン石の粉粒を介在させることによって静電気の発生を防止することができるような構造とすることも可能であって、トルマリン石を介入することにより多目的に使用できる。
【００１１】
また本発明においてはブレザー用のボタンとして種々例を挙げて述べたが、制服やバッグの止めボタンとしても使用して変化を持たせることができることは勿論胸に飾るバッチ等にも応用することができる。
【００１２】
【発明の効果】
上述のように、本発明のボタンは、簡単な操作でデザインを変えることができるため実施例で述べたように葬儀と祝い事が同日であっても困ることなく相方に出席できるし、遠方の葬儀の場合でも一着で足りるという便利さを有している。
【００１３】
またボタンの中にトルマリン石を入れることによって静電気の発生を防止することができるという卓越した作用効果を奏する。
【図面の簡単な説明】
【図１】ボタンの構成を示す分解断面図
【図２】上蓋の平面図
【図３】受皿の平面図
【符号の説明】
（１），（２）…上蓋の可視部
（３），（４）…着色区分
（５）…突起
（６）…凹部
（７）…上蓋の嵌合部
（８）…受皿の嵌合部
（１０）…保護体
Ａ…上蓋
Ｂ…受皿
Ｃ…糸通し部
【図１】
2004298580.tif 000003
【図２】
2004298580.tif 000004
【図３】
2004298580.tif 000005
(57)【要約】【課題】乗り物の中や外出先で眠る時、寝顔は人に見られたくないものであるが、従来のアイマスクは光を遮るだけで顔は隠れない。【解決手段】アイマスクを袋状にし、その中にフェースカバーを収納しているので、アイマスク内からフェースカバーを引き出して顔にアイマスクを装着することで、顔全体を覆うことができるため、寝顔を人に見られることなく安眠できる。【選択図】    図４
2004298579.tif 000002
【特許請求の範囲】
【請求項１】
（イ）アイマスクにする布の下部を縫製し袋状にする。
（ロ）開口しているアイマスク（１）の内側上部中央に接着部（２）を設ける。
（ハ）顔をカバーする布（３）に設けた接着部（４）とを接着する。
（ニ）アイマスクの内側上部左右に、フェースカバーを収納した後に開口部を閉じるための接着部（５）を設ける。
（ホ）フェースカバー収納アイマスクを顔に装着するゴム（６）を付ける。
（ヘ）アイマスク内にフェースカバーを収納できることを特徴としたフェースカバー収納アイマスクである。
（ト）フェースカバーは取り外し可能なので自由に取り替えることができる。
以上の如く構成されたフェースカバー収納アイマスク。
【発明の詳細な説明】
【０００１】
【発明の属する技術分野】
この発明は、乗り物の中や外出先で眠る時、寝顔を人に見られないで安眠できることを目的に考えたフェースカバー収納アイマスクに関するものである。
【０００２】
【従来の技術】
従来は、乗り物の中や外出先で眠る時、従来の市販されているアイマスクを付けたり、顔にハンカチを掛けたりしている。
【０００３】
【発明の解決しようとする課題】
これは次のような欠点があった。
乗り物の中や外出先で眠る時、アイマスクをしていても熟睡すると口があいていたり、ヨダレが出ていたりして寝顔は人に見られたくないものである。
従来のアイマスクでは光を遮るだけで顔は隠れなかった。
人に見られたくないような表情をカバーするような対策を講じることが必要であった。
本発明は、以上のような欠点をなくすためになされたものである。
【０００４】
【課題を解決するための手段】
この発明においては、アイマスクを袋状にし、その中に顔をカバーする布を収納する。
乗り物の中や外出先で眠る時に、アイマスク内に収納されている布を引き出す事で、アイマスクをするとともにフェースカバーで顔全体を覆うことができて、寝顔を人に見られないで安眠できる。
【０００５】
本発明を使うときは、アイマスク（１）の開口部からフェースカバー（３）を引き出す。
アイマスクを顔に装着する。
使用後はアイマスク（１）を外し開口部にフェースカバー（３）を収納する。普通のアイマスクとして使用する時はフェースカバーを収納したままで使用する。
【０００６】
【発明の実施の形態】
この発明になるフェースカバー収納アイマスクは布、化学繊維等を使用しているが、その他各種の素材を使用することができる。
ＵＶカットの素材を使用することで、日焼け予防も期待できる。
フェースカバーは無地、柄物、絵、写真等色々な図柄にする事ができる。
フェースカバーは取り外し可能なので好み、状態に応じて取り替えることができる。
フェースカバーは顔型、乗り物、動物、植物、その他多様な形にすることができる。
アイマスク内へのフェースカバーの収納は接着部による接着方法とアイマスクにフェースカバーを縫い付ける縫製方法がある。
【０００７】
【実施例】
実施例について図面を参照して説明する。
図１・図２はこの発明のフェースカバー収納アイマスクの正面図である。
アイマスク１とフェースカバー３である。
【０００８】
図３はこの発明のフェースカバー収納アイマスクの斜視図である。
アイマスク１の開口部に設けた接着部２とフェースカバー３に設けた接着部４とを接着した状態である。
【０００９】
図４はこの発明のフェースカバー収納アイマスクの使用例である。
アイマスクからフェースカバーを引き出して顔に装着した状態を示している。
【００１０】
【発明の効果】
この発明のフェースカバー収納アイマスクを使用すると、乗り物や外出先で眠る時、人に寝顔を見られないで安眠することができる。
顔全体を隠すことができる。
フェースカバーは取り外し可能なので好み、状態に応じて取り替えることができる。
【図面の簡単な説明】
【図１】本発明の正面図である。
【図２】本発明の正面図である。
【図３】本発明の斜視図である。
【図４】本発明の使用状態を示した側面図である。
【符号の説明】
１  アイマスク
２  アイマスク内側上部中央接着部
３  フェースカバー
４  フェースカバー接着部
５  アイマスク内側上部左右接着部
６  ゴム
【図１】
2004298579.tif 000003
【図２】
2004298579.tif 000004
【図３】
2004298579.tif 000005
【図４】
2004298579.tif 000006
(57)【要約】【課題】煙に巻き込まれたり、煙を吸い込むことなく、消火活動を行ったり、避難できるようにする。【解決手段】本体４に前面扉９が取り付けられた消火栓装置１において、本体内に防毒マスク１０を設けたことを特徴とする。発信機１１の押し釦１１Ｃを押すことにより、前面扉の施錠が解錠するようになっている。防毒マスク１０は、ノズル３又は消火栓弁６の近くに設けられる。また本体内に防毒マスクが入っていることを示すシールが、前面扉に貼りつけてある。【選択図】図１
2004298508.tif 000002
【特許請求の範囲】
【請求項１】
本体に前面扉が取り付けられた消火栓装置において、本体内に防毒マスクを設けたことを特徴とする消火栓装置。
【請求項２】
本体に発信機を設け、発信機の押し釦を押すことにより、前記前面扉の施錠を解錠させることを特徴とする請求項１記載の消火栓装置。
【請求項３】
前記防毒マスクを、ノズル又は消火栓弁の近くに設けたことを特徴とする請求項１又は請求項２記載の消火栓装置。
【請求項４】
本体内に防毒マスクが入っていることを示すシールを、前記前面扉に貼りつけたことを特徴とする請求項１乃至請求項３いずれかに記載の消火栓装置。
【請求項５】
本体に前面扉が取り付けられた消火栓装置において、本体に発信機を設け、発信機の押し釦を押すことにより、前記前面扉の施錠を解錠させる施錠装置を設けたことを特徴とする消火栓装置。
【発明の詳細な説明】
【０００１】
【発明の属する技術分野】
本発明は消火栓装置に関するものである。
【０００２】
【従来の技術】
火災を消火する装置として、従来より消火栓装置がある（例えば特許文献１）。この消火栓装置は、人がノズルを持って火災を消火するものである。
【０００３】
【特許文献１】
特開２０００−３４２７０７号公報
【０００４】
【発明が解決しようとする課題】
ところで、火災時における死者の要因としては、煙による窒息死が上位を占めており、煙に巻き込まれずに消火又は避難することが望まれている。
【０００５】
【課題を解決するための手段】
本発明は以上の課題を解決するためになされたもので、本体に前面扉が取り付けられた消火栓装置において、本体内に防毒マスクを設けたことを特徴とするものである。
【０００６】
【発明の実施の形態】
図１は、前面扉を開放した状態を示す本発明の消火栓装置１の正面図である。消火栓装置１は、前面側が開放した箱状の本体４から構成され、本体４の前面側に左右方向に回動自在に取り付けられる前面扉９と、本体４によって消火栓箱が形成される。
【０００７】
消火栓箱内には、本体４の背面板上に取り付けられ、上部に開口部を有するホース収納体２が設けられ、ホース収納体２内には、巻かれた状態の布製の消火用ホース１が収納されている。消火用ホース１の一端側には、消火用のノズル３が取り付けられ、他端側は消火栓弁６に接続されている。また本体４の背面板には、支持板８が取り付けられ、その支持板８上に設けたホルダ８ａにノズル３は取り付けられている。
【０００８】
１０は本体４内に設けた防毒マスクである。ここで防毒マスク１０とは、火災時における煙の吸い込みを防止するためのマスクである。防毒マスク１０は、本体４内であればどこに設けてもよいが、目立ちやすい位置に設けることが好ましい。例えば消火時に取り出すノズル３の近傍、（図１ではノズル３の下側）や、消火栓弁６の近くなどである。防毒マスク１０は、例えば支持板１０Ｃを本体４の背面板に取り付け、その上に設けるようにすればよい。
【０００９】
１１は本体４の上部に設けた発信機で、１２は赤色表示灯である。発信機１１は、押し釦１１Ｃを押すことで、図示しない火災受信機に信号線を介して火災信号を送出するものである。１３は電気錠などから構成される施錠装置で、通常時は、前面扉９が開放しないように施錠している。この施錠装置１３と発信機１１は連動しており、発信機の押し釦１１Ｃを押すことにより、前面扉９の施錠が解錠するように構成されている。なお、施錠装置１３は、赤色表示灯１１や発信機１２と同様に、図示しない火災受信機から電源が供給されている。
【００１０】
以上のように構成した消火栓装置は、建物の通路の側壁等に設置され、通常状態では、前面扉９が施錠装置１３により施錠され、勝手に開放できないようになっている。このため本体内が悪戯されることもなく、高価な防毒マスク１０が盗難されるのを防止できる。
【００１１】
火災時には、火災発見者により発信機１１の押し釦１１Ｃが押され、火災通報がなされる。この押し釦１１Ｃの押下により施錠装置１３による前面扉９の施錠が解錠され、前面扉９が開放される。火災発見者は、消火栓弁６を開放し、ノズル３を取り出してホース１を引き延ばし消火活動を行う。この際、ノズル３の近傍に防毒マスク１０があるので、その防毒マスク１０の存在に気付きやすい。消火活動をするにあたって、防毒マスク１０を着用の上、ノズル３から放水して火災を消火すれば、煙に巻き込まれたり、必要以上に煙を吸い込むことなく、消火活動を行うことができる。
【００１２】
なお、前面扉９の表側（表面）  には、本体４内に防毒マスクが入っていることを示すために、「防毒マスク入り」などと記載されたシールを貼っておくことが望ましい。このようにすると、例え、火災時に消火栓装置による消火活動をしなくても、発信機１１の押し釦１１Ｃを押して前面扉９を開放させ、防毒マスクを入手することができる。こうして防毒マスクを着用すれば、煙に巻きまれることなく、避難することが可能となる。
【００１３】
【発明の効果】
本発明では、消火栓装置において、本体内に防毒マスクを設けたので、煙に巻き込まれたり、煙を吸い込むことなく、消火活動を行ったり、避難することができる。
【００１４】
また、発信機の押し釦を押すことにより、前面扉の施錠を解錠させるようにしたので、火災でない通常時に、本体内が悪戯されるのを防止でき、また前面扉が開放されて防毒マスクが盗難されるのを防止できる。
【図面の簡単な説明】
【図１】本発明の消火栓装置の前面扉を開放させた状態を示す正面図である。
【符号の説明】
１  消火栓装置、  ２  ホース収納体、  ３  ノズル、  ４  本体、
６  消火栓弁、  ８  支持板、  ８ａ  ホルダ、  ９  前面扉、
１０  防毒マスク、  １０Ｃ  支持板、  １１  発信機、  １１Ｃ  押し釦
１２  赤色表示灯、  １３  施錠装置、
【図１】
2004298508.tif 000003
(57)【要約】【課題】従来のライン引き（ラインカー）は，直線を引くために作られており，点線を引くためには，ライン引きをその都度，地面から離すか，その都度，手元での操作が必要であった。また，直線を引くことにより大量に石灰等が消費され，すぐに補充しなければならなかった。従来のライン引きには，ラインの幅を細くし，石灰等の消費を少なくするものもあるが，ライン幅を細くすると，遠くから見にくいラインになってしまうという欠点があった。【解決手段】ライン引き底部のタイヤと連動した石灰等の粉を送り出す部分を，従来の石灰を送り出す部分に加え，石灰を送り出さないフタを組み合わせた形態にすることで，通常のライン引きを使用するように押すか引くのみで，タイヤに連動した石灰等の粉を送り出す部分が回転し，石灰を送り出す部分と石灰を送り出さないフタの部分が交互に役割を果たし，点線を引くことを可能にする。【選択図】    図１
2004298586.tif 000002
【特許請求の範囲】
【請求項１】
点線を引くためのライン引き（ラインカー）
【発明の詳細な説明】
【０００１】
【発明が属する技術分野】
本発明は，点線を引くためのライン引き（ラインカー）に関するものである。
【０００２】
【従来の技術】
従来のライン引き（ラインカー）は，直線を引くために作られており，点線を引くためには，ライン引き（ラインカー）をその都度，地面から離さなければならなかった。もしくは，その都度，手元での操作が必要であった。また，直線を引くと大量に石灰等が消費され，すぐに補充しなければならなかった。従来のライン引き（ラインカー）には，ラインの幅を細くし，石灰等の消費を少なくするものもあるが，ライン幅を細くすると，遠くから見にくいラインになってしまうという欠点があった。
【発明が解決しようとする課題】
【０００３】
解決しようとする問題点は，ラインを引く際に，ライン引き（ラインカー）を通常使用の方法と同様に押すか引くことだけで点線を引くことができるようにし，点線にすることで石灰等の消費を押さえ，石灰等の補充回数も減らすという点である。
【０００４】
【課題を解決するための手段】
ライン引き（ラインカー）底部のタイヤと連動した石灰等の粉を送り出す部分に，石灰を送り出さない部分を組み合わせることを最も主要な特徴とする。
【０００５】
【発明の実施の形態】
ライン引き（ラインカー）底部のタイヤと連動した石灰等の粉を送り出す部分を，石灰を送り出す部分と石灰を送り出さないフタとを組み合わせ形態にしたものである。
【０００６】
【実施例】
ライン引き（ラインカー）底部のタイヤと連動した石灰等の粉を送り出す部分を，石灰を送り出す部分と石灰を送り出さないフタとを組み合わせた形態にすることで，通常のライン引き（ラインカー）を使用するように押すか引くことで，タイヤに連動した石灰等の粉を送り出す部分が回転し，石灰を送り出す部分と石灰を送り出さないフタの部分が交互に役割を果たし，点線を引くことができる。
【発明の効果】
【０００７】
以上説明したように，本発明の「点線を引くためのライン引き（ラインカー）」は，通常のライン引き（ラインカー）使用の方法で，容易に点線を引くことができる。また，直線が点線になることで，石灰等の使用量を減らすことができる。この際，点線になってもライン幅を変わらないので，遠くから見にくくなることもない。
【図面の簡単な説明】
【図１】ライン引き（ラインカー）底部のタイヤと連動した石灰等の粉を送り出す部分を，石灰を送り出す部分と石灰を送り出さないフタとを組み合わせ形態にしたもの。（実施例１）
【符号の説明】
１  石灰を送り出さないフタの部分の形態例
２  石灰を送り出す部分の形態例
３  ライン引き（ラインカー）底部のタイヤと連動した石灰等の粉を送り出す部分の車軸の形態例
４  ライン引き（ラインカー）のタイヤの形態例
５  ライン引き（ラインカー）本体の形態例
６  ライン引き（ラインカー）の取っ手の形態例〈ＢＲ〉
【図１】
2004298586.tif 000003
(57)【要約】【課題】靴の製造工程中に出る裁断屑は産業廃棄物として処理される。そこでこの屑革のリサイクルについて研究開発する。【解決手段】廃革は大小様々で革質もまちまちのためシュレッダーにかけて約３ｍ／ｍの細粒とし、これにコルクの細粒を混入し、バインダーとして熱可塑性の合成樹脂を加えて混練圧延して靴の中敷として成形する。製品はコルク特有の軽量で弾力性があって足裏への当りがよく、革の吸湿性が加味されて良質の中敷が得られた。【選択図】    図２
2004298581.tif 000002
【特許請求の範囲】
【請求項１】
屑革の細粉粒物とコルクの細粒物を混合して板状体とし、成形型に合せて裁料成形したことを特徴とした靴の中敷。
【請求項２】
屑革を３ｍ／ｍ角に細断し、該細断物にコルクの細粒を、革の細粒対コルク粒の割合を５：５〜３：７の割合で混合し、これに熱可塑性のバインダーと混合して板状体とし、靴の中敷の型に合せて裁断することを特徴とした靴の中敷の製造方法。
【発明の詳細な説明】
【０００１】
【発明が属する技術分野】
本発明は、靴などの製品加工の際に裁断した屑革の利用方法に関する。
【０００２】
【従来の技術】
従来このような屑革は産業廃棄物として埋立ゴミとして処理することが普通であった。しかし最近になってこのような屑革の利用も種々開発されている。
【０００３】
先行発明としては、実開昭６１−３９１３８号公報（イ号証という）、或は特開昭６２−２４０４００号（ロ号証という）などいくつかの技術が公知となっている。
【０００４】
しかし、これらの技術は、例えばイ号証では、天然皮革の裁断屑のチップに熱可塑性樹脂を加えて革チップの配向を揃えて積層して再び皮革製品とするものであり、またロ号証は、顔料混入の合成樹脂と皮革粉を結着して着色むらのない皮革様の成形品を得るものであって、共に廃革の処理であっても、元の皮革状のものとするものである。
【０００５】
【発明が解決しようとする課題】
発明者は、産業廃棄物としての屑革の活用に力を入れ、鋭意研究の結果本発明に到達したものであって、本発明は、屑革をシュレッダーによって細断し、これにコルクの細粒を混入して熱可塑性のバインダーを加えて混練して靴用の中敷材の型で抜き中敷を成形するものである。
【０００６】
これによって、本発明によって成形された中敷は、コルク特有の軽量とクッション性に富み、革特有の吸湿性を有する理想的な靴の中敷を得るものである。
【０００７】
【発明の実施の形態】
添付図面により、本発明を説明すると、図１は中敷の製造工程を示すフロー図であって、図中の上から順を追って工程を説明すると、（イ）は革製品を作成した際に排出される裁断屑を示したもので、当然のことに形及び大きさ、革の材質は雑多である。（ロ）はシュレッダー工程であって、（イ）の屑革を裁断して約３ｍ／ｍ角の細粒に成形する。ここで約３ｍ／ｍ角とすることについては特に理由はないが、中敷として成形したとき、あまり大粒にすると足裏に当る感触が悪く、また後述するコルク粒との混練にも不都合である。
【０００８】
（ハ）は、シュレッダーによって裁断された屑革と、これに混入するコルクの細粒を示す状態図であって、この両材料の細粒を混合する。この両材料の配合割合は特に限定することはないが、革とコルクの比率を５：５〜３：７程度とすることが望ましい。
【０００９】
（ニ）は混練製品であって、前記の割合で混合した革の細粒と、コルクの細粒を投入して、これに熱可塑性の樹脂をバインダーとして加えて加熱しながら混練する。
【００１０】
（ホ）は成形工程を表わしている。（ニ）で混練した革の細粒とコルクの細粒はバインダーを介して混練されている塊状体をプレスして型抜きして中敷を成形する。
【００１１】
図２は中敷の平面図を示す。この中敷は図示されているように、屑革の細粒と、コルクの細粒が混在して成形されていて、コルク特有の軽量とクッション性があり、足裏に当る感触がやさしく、また革粒が混入されているため吸湿性があって、更に靴の履き心地を良くするものである。
【００１２】
【発明の効果】
上述のように、本発明は、従来廃棄物として廃棄していた屑革の有効利用をするため、地域の環境の改善に貢献し、また製品としての中敷は、コルク特有の軽量とクッション性に富み、この中敷を使用することによって靴の履き心地を良くするもので健康上にも卓越した効果を奏する。
【図面の簡単な説明】
【図１】製造工程を示すフロー図
【図２】中敷の平面図
【図１】
2004298581.tif 000003
【図２】
2004298581.tif 000004
(57)【要約】【課題】このようなヘアドライアでは、モータの回転を早くして、風量をアップして、頭髪の乾燥を早めるようにしているが、洗い髪は櫛で解かしても、乾燥するのに時間がかかるという問題があった。【解決手段】ハウジング１に把手１ａが一体に構成され、ハウジング１の内部に装着ボックス２が装着され、装着ボックス２のハウジング１の解放側に超音波振動子３が装着され、又、ハウジング２内にモータ４が装着され、モータ４の回転軸４ａに回転羽根５が固着され、又、装着ボックス２の周囲にヒーター６が装着され、把手１ａ内に装着された制御装置７の発振器から超音波振動子３に発振出力が印加され、又、モータ４に駆動出力が印加され、ヒーター６に電力が印加されている。【選択図】        図１
2004298483.tif 000002
【特許請求の範囲】
【請求項１】
端部に把手を装着し、一方の端部を解放したハウジングと、該ハウジング内のほぼ中心に装着した装着ボックスと、該装着ボックスの解放端部の方向に突出した超音波振動子と、前記装着ボックス内に装着し、回転軸に回転羽根を固着したモータと、前記装着ボックスの周囲に装着したヒーターと、前記把手内に装着して前記超音波に発振出力を印加する発振器とからなることを特徴とする超音波乾燥機付きヘアドライア。
【発明の詳細な説明】
【０００１】
【発明が属する技術分野】
本発明は、送風と超音波の照射によって、短時間に頭髪とうを乾燥することができる超音波乾燥機付きヘアドライアに関するものである。
【０００２】
【従来の技術】
従来のヘアドライアは、モータの回転軸に装着した回転羽根で送風するとともに、モータの周囲に装着したヒーターによって過熱された空気を送風するようにしている。
【０００３】
【発明が解決しようとする課題】
しかしながら、このようなヘアドライアでは、モータの回転を早くして、風量をアップして、頭髪の乾燥を早めるようにしているが、洗い髪は櫛で解かしても、乾燥するのに時間がかかるという問題があった。
【０００４】
【課題を解決しようとする手段】
本発明は、端部に把手を装着し、一方の端部を解放したハウジングと、該ハウジング内のほぼ中心に装着した装着ボックスと、該装着ボックスの解放端部の方向に突出した超音波振動子と、前記装着ボックス内に装着し、回転軸に回転羽根を固着したモータと、前記装着ボックスの周囲に装着したヒーターと、前記把手内に装着して前記超音波に発振出力を印加する発振器とからなるするものである。
【０００５】
【発明の実施の形態】
本発明は、把手内に装着した制御装置の発振器から超音波振動子に発振出力を印加して超音波振動子から超音波を空中に放射するととに、ヒーターを過熱し、モータを回転して回転羽根で送風することにより、空中に放射された超音波で髪を振動させることにより、髪の面積が見かけ上拡大され、その髪に過熱送風された空気で髪を短時間に乾燥することができる。
【０００６】
【実施例】
図１は本発明の実施例の超音波乾燥機付きヘアドライアの側面断面図、図２は図１のヘアドライアの正面図で、ハウジング１に把手１ａが一体に構成され、ハウジング１の内部に装着ボックス２が装着され、装着ボックス２のハウジング１の解放端部１ｂに超音波振動子３が装着され、又、装着ボックス２内にモータ４が装着され、モータ４の回転軸４ａに回転羽根５が固着され、又、装着ボックス２の周囲にヒーター６が装着され、把手１ａ内に装着された制御装置７はコード８を介して商用電源に接続され、又、制御装置７に超音波振動子３への発振出力機能、モータ４への駆動出力機能、ヒーター６への電力供給機能が設けられている。
【０００７】
このように構成した本実施例の超音波乾燥機付きヘアドライアでは、把手１ａを持って把手１ａに装着されたボタン１ｂを押すと、制御装置７の発振出力機能から超音波振動子３に発振出力が印加され、駆動出力機能からモータ４に回転出力が印加され、電力供給機能からヒーター６に電力が供給されるるので、モータ４による回転羽根５の回転でヒーター６で過熱された空気をハウジング１の解放端部１ｂから送風するとともに、超音波振動子３から空中に超音波が放射されるので、超音波が髪の毛に当たると、髪の毛は超音波の放射で見かけ上髪の毛の面積が拡大したようになり、それによって、拡大された髪の毛に加熱された空気が吹き付けられるので、髪の毛の表面に付着している水を短時間で乾燥することができる。
【０００８】
又、このように構成した本実施例の超音波乾燥機付きヘアドライアでは、送風される空気が低温であっても乾燥効率が向上することができるので、ヒーター６で消費する電力が１０％〜２０％程度削減することができる。
【０００９】
【発明の効果】
以上説明したように、本発明の超音波乾燥機付きヘアドライアでは、把手内に装着した制御装置の発振器から超音波振動子に発振出力を印加して超音波振動子から超音波を空中に放射することにより超音波で髪を振動させることができるので、髪の毛の面積が見かけ上拡大され、そこへヒーターで空気を加熱し、モータによる回転羽根の回転で空気を送風することにより、見かけ上拡大された髪の毛に加熱された空気が送風されて髪を短時間に乾燥することができ、送風される空気が低温であっても乾燥効率が向上するので、ヒーターで消費する電力が１０％〜２０％程度削減することができるという利点がある。
【図面の簡単な説明】
【図１】本発明の実施例の超音波乾燥機付きヘアドライアの側面断面図である。
【図２】図１のヘアドライアの正面構成図である。
【符号の説明】
１          ハウジング
２          装着ボックス
３          超音波振動子
４          モータ
５          回転羽根
６          ヒーター
７          制御装置
８          コード
【図１】
2004298483.tif 000003
【図２】
2004298483.tif 000004
(57)【要約】【課題】腹部圧迫防止と身体の安定の両立を可能ならしめる起床式ベッド装置。【解決手段】使用者の背部、臀部、大腿部及び脚部を夫々支持する第１床板４、第２床板５、第３床板６及び第４床板７をフレーム３上に備え、前記第１床板４の頭部側の起立と連動して前記第３床板６の脚部側が起立するようにしてなる起床式ベッド装置において、前記第１床板４の起立角度が所定値になると、前記第３床板６が床面と平行とならない限度で下降させると共に前記フレーム３の頭部側が床面から持ち上げられるようにした。【選択図】  図４
2004298284.tif 000002
【特許請求の範囲】
【請求項１】
使用者の背部、臀部、大腿部及び脚部を夫々支持する第１床板、第２床板、第３床板及び第４床板をフレーム上に備え、前記第１床板の頭部側の起立と連動して前記第３床板の脚部側が起立するようにしてなる起床式ベッド装置において、前記第１床板の起立角度が所定値になると、前記第３床板が床面と平行とならない限度で下降させると共に前記フレームの頭部側が床面から持ち上げられるようにしてなる、起床式ベッド装置。
【発明の詳細な説明】
【０００１】
【発明の属する技術分野】
本発明は、起床式ベッド装置に関するものである。
【０００２】
【従来の技術】
従来、使用者の背部、臀部、大腿部及び脚部を夫々支持する第１床板、第２床板、第３床板及び第４床板をフレーム上に備え、第１床板の頭部側の起立と連動して第３床板の脚部側が起立するようにしてなる起床式ベッド装置においては、第１床板の起立角度が所定値（７５度）になると、使用者の腹部圧迫を防ぐべく、第３床板が下降して水平位置に変移するようになっている（例えば特許文献１参照）。
【０００３】
【特許文献１】
実公平６−６７７０号公報（第１〜２頁・第１〜５図）
【０００４】
【本発明が解決しようとする課題】
ところが上記した起床ベッド装置においては、第１床板の起立角度が所定値（７５度）になると、第３床板が下降して水平位置に変移するので、使用者の下半身が足先方向にズレるという不具合があった。
【０００５】
それ故に、本発明は上記の不具合のない、起床式ベッド装置を提供することを技術的課題とする。
【０００６】
【課題を解決するための手段】
上記の課題を解決するために講じた技術的手段は、使用者の背部、臀部、大腿部及び脚部を夫々支持する第１床板、第２床板、第３床板及び第４床板をフレーム上に備え、前記第１床板の頭部側の起立と連動して前記第３床板の脚部側が起立するようにしてなる起床式ベッド装置において、前記第１床板の起立角度が所定値になると、前記第３床板が床面と平行とならない限度で下降させると共に前記フレームの頭部側が床面から持ち上げるようにしたことである。
【０００７】
【発明の実施の形態】
以下、本発明の一実施形態について、図面を参照して説明する。
【０００８】
対向するベッドボード１、フットボード２およびメインフレーム３ａ，３ｂから短形枠体が形成され、該枠体内に第１〜４の床板４，５，６，７が配設されると共に、メインフレーム３ａ，３ｂ間に横杆８および回転軸９が架設され、メインフレーム３ａ，３ｂの両側壁には第１〜３の受棧１０，１０，１１，１１，１２，１２が順次固定されている。第１〜４の床板は第１〜３のヒンジ部材１３，１３，１４，１４，１５，１５によって各々枢着され、第１の床板４および第３〜４の床板６，７は回動自在に形成され、第２の床板５は第１の受棧１０，１０に固設されている。第１の床板４のベッドボード１側下面周縁は、横杆８と係合し、該床板４の第１のヒンジ部材１３，１３側下面円周には支持腕１６が設けられ、さらに支持腕１６にはモータ（図示略）により前進後退自在の駆動軸１７が設けられ、支持腕１６を介して第１の床板４が起伏倒伏自在に形成されている。第３の床板６の第３のヒンジ部材１５，１５側下面周縁には図示形状のカム部材１８が設けられると共に、下方にカム部材１８と係合するローラ１９を備えた回転腕２０が回転軸９に枢設され、支持腕１６および回転腕２０は連結杆２１と回動自在に連結され、駆動軸１７が前進後退すると、支持腕１６が回動すると共に、連結杆２１を介して回転腕２０が回動するように形成されている。第４の床板７のフットボード２側下面周縁には車輪２２，２２が設けられ、車輪２２，２２は第３の受棧１２，１２上に載置され前進後退自在である。
【０００９】
フットボード２には、キャスタ５０が装着されている。ヘッドボード１は、昇降アクチュエータ５２に支持されている。
【００１０】
図１に示す状態から、駆動軸１７が前進（図１の左方向へ螺進）すると、連結杆２１および車輪２２，２２が前進すると共に、支持腕１６および回転腕２０が回動し、ローラ１９がカム部材１８に沿って前進し、第１の床板４が起伏すると共に、第３〜４の床板６，７が上方に屈折する（図２）。駆動軸１７が前進すると、図３に示すように、第１の床板４の起伏角度が４５度で第３の床板６の起伏角度が約１０度で最大となる。更に、駆動軸１７が前進して第１の床板４の起伏角度が約７５度になると、図４に示されるように、駆動軸１７が停止し（第１の床板４の起伏角度が約７５度に固定され）、第３の床板６の起伏角度が約１０度から所定の値だけ、水平にならない限度、減少すると共に、昇降アクチュエータ５２がヘッドボード１を所定の高さ上昇させる。しかして、ヘッドボード１の所定の高さの上昇は、メインフレーム３ａが床面に対してなす角度（５〜１２度）により制限される。
【００１１】
【発明の効果】
本発明によれば、使用者の背部、臀部、大腿部及び脚部を夫々支持する第１床板、第２床板、第３床板及び第４床板をフレーム上に備え、前記第１床板の頭部側の起立と連動して前記第３床板の脚部側が起立するようにしてなる起床式ベッド装置において、前記第１床板の起立角度が所定値になると、前記第３床板が床面と平行とならない限度で下降させると共に前記フレームの頭部側が床面から持ち上げられるようにしたので、前記第１床板の起立角度が所定値になったとき、大腿部の圧迫の防止と身体の安定の両立を図ることができ、実用上多大な効果を奏する。
【図面の簡単な説明】
【図１】本発明の一実施形態における起床式ベッド装置の初期状態を示す説明図である。
【図２】図１に示す起床式ベッド装置の底面図である。
【図３】第１床板の起立角度が４５度のときの、図１に示す起床式ベッド装置の状態を示す説明図である。
【図４】第１床板の起立角度が７５度のときの、図１に示す起床式ベッド装置の状態を示す説明図である。
【符号の説明】
４  第１床板
５  第２床板
６  第３床板
７  第４床板
【図１】
2004298284.tif 000003
【図２】
2004298284.tif 000004
【図３】
2004298284.tif 000005
【図４】
2004298284.tif 000006